(57)【特許請求の範囲】
【請求項１】
遊技を制御する制御基板を備えた遊技機において、
前記制御基板を内部に収容するとともに、この制御基板を外部から視認可能な部材で形成されて遊技機の所定の位置に配置されるケースを備え、
前記ケースは、
所定の透明度及び所定の絶縁性を備えた絶縁性液体が前記制御基板を浸すようにして、該ケース内に該絶縁性液体を密封するとともに、前記制御基板の部品実装面が遊技機の裏面で視認可能となる向きで遊技機裏面に取り付けられ、
前記ケースの外部に、絶縁性液体の検出により不正にケースの密封状態が解かれたことを検出する絶縁性液体検出手段を備えることを特徴とする遊技機。
【請求項２】
前記絶縁性液体検出手段は、前記ケースの周辺に配置した紙片への絶縁性液体の付着により絶縁性液体を検出することを特徴とする請求項１に記載の遊技機。
【請求項３】
遊技を制御する制御基板を備えた遊技機において、
前記制御基板を内部に収容するとともに、この制御基板を外部から視認可能な部材で形成されて遊技機の所定の位置に配置されるケースを備え、
前記ケースは、
所定の透明度及び所定の絶縁性を備えた絶縁性液体が前記制御基板を浸すようにして、該ケース内に該絶縁性液体を密封するとともに、前記制御基板の部品実装面が遊技機の裏面で視認可能となる向きで遊技機裏面に取り付けられ、
前記ケースの内部に、前記内部が外部の大気と接触したことから不正にケースの密封状態が解かれたことを検出する開封検出手段を備えることを特徴とする遊技機。
【請求項４】
前記開封検出手段は、ケースの内部に吸湿により変色する吸湿剤を配置し、吸湿剤の色に基づいて開封を検出することを特徴とする請求項３に記載の遊技機。
【請求項５】
前記制御基板は、全体を前記ケースに収容され、前記ケースは、上部に蓋を備え、この蓋に外部の装置と接続する接続手段が一体的に形成され、
前記ケースは、前記蓋が下方を向くように遊技機に取り付けられることを特徴とする請求項１ないし請求項４のいずれか一つに記載の遊技機。
【請求項６】
前記制御基板は、全体を前記ケースに収容され、前記ケースは、上部に蓋を備え、この蓋から外部の装置と接続する信号線が引き出され、
前記ケースは、前記蓋が下方を向くように遊技機に取り付けられることを特徴とする請求項１ないし請求項４のいずれか一つに記載の遊技機。
【発明の詳細な説明】
【０００１】
【発明の属する技術分野】
本発明は、遊技を制御する制御基板を備えた遊技機の不正防止に関する。
【０００２】
【従来の技術】
遊技機には、表示装置や入賞装置などの周辺装置の作動を制御する為に、基板上に複数の制御素子が実装された制御装置が備えられており、例えば、遊技を統括的に制御する遊技制御装置や変動表示装置を制御する表示制御装置が配設されている。
【０００３】
そして、これら制御装置（制御基板）は、透明の部材などにより外部から視認可能な基板ボックス内に収容されて、外部から容易に触れることができないようにしながらも、制御基板上のＩＣの形状や型式名などを容易に確認可能とすることで不正な基板に交換された場合には容易に発見可能な構成となっている。
【０００４】
【発明が解決しようとする課題】
ところで、近年の遊技機では表示装置が大型化するのに加えて、変動表示ゲームなどでは３次元画像を表示するものもあり、グラフィック性能の高性能化、遊技制御の高速化など、制御装置にかかる負担は次第に大きくなってきている。
【０００５】
これに伴って、制御装置のＣＰＵやＤＳＰなどの素子からの発熱も増大し、冷却を円滑に行わないと過熱による誤作動が懸念される。特に、表示制御装置に採用される３次元画像処理用のＩＣ（プロセッサ）では、処理能力の向上に応じて発熱量も増大する傾向にあり、このような高性能のＩＣを採用する場合には、確実な放熱対策が要求される。
【０００６】
しかしながら、上記従来例では、基板交換などの不正行為を抑止する為に制御基板を基板ボックスに収納し、これをかしめて制御基板に対する不正を行い難くするとともに、前記したように、基板ボックスを透明な部材で構成することで内部に収納する制御基板の部品実装面などを視認可能にしているが、ＣＰＵなどの基板上の素子を確実に冷却するには、素子の表面にヒートシンクなどの放熱部材を設ける必要があるが、ヒートシンクなどを表面に設けてしまうと、素子の型式名などが視認できなくなり、不正行為の発見が難しくなるという問題がある。
【０００７】
また、ＣＰＵなどの発熱素子の冷却を空冷で行うには、制御基板を収容する基板ボックス内の換気を積極的に行う必要があるが、基板ボックスは閉空間となっているため、冷却用の空気の供給自体が難しいという問題はあるのに加え、遊技機裏面には様々な機構部品が配設されていて制御装置の配置にかかる制約も多く、冷却に必要な吸気及び排気を確保するのが難しいという問題がある。
【０００８】
そこで本発明は、上記問題点に鑑みてなされたもので、不正な基板の交換があった場合には容易に発見可能にしながらも、制御基板に搭載されるＩＣなどの素子の冷却を確実に行うことが可能な遊技機を提供することを目的とする。
【０００９】
【課題を解決するための手段】
第１の発明は、遊技を制御する制御基板を備えた遊技機において、前記制御基板を内部に収容するとともに、この制御基板を外部から視認可能な部材で形成されて遊技機の所定の位置に配置されるケースを備え、前記ケースは、所定の透明度及び所定の絶縁性を備えた絶縁性液体が前記制御基板を浸すようにして、該ケース内に該絶縁性液体を密封するとともに、前記制御基板の部品実装面が遊技機の裏面で視認可能となる向きで遊技機裏面に取り付けられ、前記ケースの外部に、絶縁性液体の検出により不正にケースの密封状態が解かれたことを検出する絶縁性液体検出手段を備える。
【００１１】
また、第２の発明は、前記第１の発明において、前記絶縁性液体検出手段は、前記ケースの周辺に配置した紙片への絶縁性液体の付着により絶縁性液体を検出する。
【００１２】
また、第３の発明は、遊技を制御する制御基板を備えた遊技機において、前記制御基板を内部に収容するとともに、この制御基板を外部から視認可能な部材で形成されて遊技機の所定の位置に配置されるケースを備え、前記ケースは、所定の透明度及び所定の絶縁性を備えた絶縁性液体が前記制御基板を浸すようにして、該ケース内に該絶縁性液体を密封するとともに、前記制御基板の部品実装面が遊技機の裏面で視認可能となる向きで遊技機裏面に取り付けられ、前記ケースの内部に、前記内部が外部の大気と接触したことから不正にケースの密封状態が解かれたことを検出する開封検出手段を備える。
【００１３】
また、第４の発明は、前記第３の発明において、前記開封検出手段は、ケースの内部に吸湿により変色する吸湿剤を配置し、吸湿剤の色に基づいて開封を検出する。
【００１４】
また、第５の発明は、前記第１ないし第４の発明のいずれか一つにおいて、前記制御基板は、全体を前記ケースに収容され、前記ケースは、上部に蓋を備え、この蓋に外部の装置と接続する接続手段が一体的に形成され、前記ケースは、前記蓋が下方を向くように遊技機に取り付けられる。
【００１５】
また、第６の発明は、前記第１ないし第４の発明のいずれか一つにおいて、前記制御基板は、全体を前記ケースに収容され、前記ケースは、上部に蓋を備え、この蓋から外部の装置と接続する信号線が引き出され、前記ケースは、前記蓋が下方を向くように遊技機に取り付けられる。
【００１７】
また、前記発明のいずれかひとつにおいて、前記ケースは内部の絶縁性液体を密閉し、このケースの所定の位置にはケースの密閉状態が解かれたことを検出する開封検出手段を備えてもよい。
【００１８】
また、前記開封検出手段は、前記ケースの所定の外部に絶縁性液体検出手段を備え、前記絶縁性液体検出手段による絶縁性液体の検出によりケースの密閉状態が解かれたことを検出してもよい。
【００１９】
また、前記開封検出手段は、前記ケースの所定の内部に配設されて前記ケースの内部が外部の大気と接触したことからケースの密閉状態が解かれたことを検出してもよい。
【００２０】
また、前記発明のいずれかひとつにおいて、前記絶縁性液体には、所定の着色を施してもよい。
【００２１】
なお、前記発明のいずれかひとつにおいて、制御基板上の素子の配置は、発熱量の大きいものを制御基板の下部に設けてもよい。
【００２２】
なお、前記発明のいずれかひとつにおいて、制御基板はケース内面との間に所定の間隙を設けて収容し、制御基板の表裏を均一に冷却してもよい。
【００２４】
【発明の効果】
第１の発明または第３の発明は、ケース及び絶縁性液体が所定の透明度を備えるようにしたため、遊技機裏面等から制御基板及び基板の素子を容易に視認することができるので、万一、不正な基板にすり替えられても容易に発見することが可能となり、不正な行為を抑制することができ、不正の防止と制御基板の冷却性能の確保を両立できるのである。
【００２５】
さらに、ケースの内部に絶縁性液体を封入したことにより、制御基板の部品交換や不正部品の取り付け作業が極めて困難になり、不正工作の抑止を図ることができる。
【００２６】
また、ケースの内部を密閉して絶縁性液体を封入すれば、制御基板の部品交換や不正部品の取り付け作業をより困難にして、不正工作の抑止を図ることができる。
また、ケースが開封されたことを容易に知ることができ、不正行為を発見する際の一助となる。
【００２７】
また、第２の発明は、ケースの周辺に配置した紙片への絶縁性液体の付着により絶縁性液体を検出するので、ケースが開封されて制御基板の出し入れがあれば、周囲に絶縁性液体がこぼれて紙片に付着することから、開封の証拠を得ることができる。
【００２９】
また、第４の発明は、ケースの内部に吸湿により変色する吸湿剤を配置したので、吸湿剤の色に基づいて開封を検出できる。
【００３０】
また、第５または第６の発明は、ケースは、上部に蓋を備え、前記ケースは、前記蓋が下方を向くように取り付けられたので、不正工作が容易に行えなくなり、不正行為の抑止を図ることができる。
【００３３】
また、ケースの密閉状態が解かれたことを検出する開封検出手段を備えた場合には、ケースが開封されたことを容易に知ることができ、不正行為を発見する際の一助となる。
【００３４】
また、絶縁性液体に所定の着色を施した場合では、不正行為を行う際に、こぼれた絶縁性液体の補充が必要になり、同一の色の絶縁性液体を即座に調達または作成することが難しいので、不正行為を抑止することができ、また、併設された遊技機との比較により、絶縁性液体の色の差から異常の検出が可能となる。
【００３５】
【発明の実施の形態】
以下、添付図面に基づいて、本発明の実施の形態について説明する。
【００３６】
図１は、本発明の一実施形態を示す遊技機（カード球貸ユニットを併設したＣＲ機）全体の構成を示す正面図で、図２は遊技機の背面図である。
【００３７】
遊技機（パチンコ遊技機）１の前面枠３は本体枠（外枠）４にヒンジ５を介して開閉回動可能に組み付けられ、遊技盤６は前面枠３の裏面に取り付けられた収納フレーム５０（図２参照）に収容される。
【００３８】
遊技盤６の表面には、変動表示装置８、大入賞口を備えた変動入賞装置１０、一般入賞口１１〜１５、始動口１６、普通図柄始動ゲート２７Ａ、２７Ｂ、普通図柄表示器７、普通変動入賞装置９等が配設された遊技領域が形成される。前面枠３には、遊技盤６の前面を覆うカバーガラス１８が取り付けられている。
【００３９】
変動表示装置８は、表示領域に、左、中、右の三つの表示図柄（識別情報）が表示される。これらの表示図柄には、例えば「０」〜「９」までの各数字と、「Ａ」〜「Ｅ」のアルファベット文字が割り当てられている。
【００４０】
変動表示装置８は、始動口１６へ遊技球の入賞があると、前述した数字、文字で構成される表示図柄が順に表示される。始動口１６への入賞が所定のタイミングでなされたとき（具体的には、入賞検出時の特別図柄乱数カウンタ値が当たり値であるとき）には、大当たり状態となり、三つの表示図柄が揃った状態（大当たり図柄）で停止する。このとき、変動入賞装置１０の大入賞口が所定の時間（例えば３０秒）だけ大きく開き、多くの遊技球を獲得することができる。
【００４１】
この始動口１６への遊技球の入賞は、特別図柄始動センサ５２で検知される。この遊技球の通過タイミング（具体的には、入賞検出時点での遊技制御装置１００（図２参照）内に備えられた特別図柄乱数カウンタの値）は、特別図柄入賞記憶として、遊技制御装置１００内の所定の記憶領域（特別図柄乱数記憶領域）に、最大で連続した４回分を限度に記憶される。この特別図柄入賞記憶の記憶数は、変動表示装置８の上側に設けられた４つのＬＥＤからなる特別図柄記憶状態表示器１７に表示される。遊技制御装置１００は、特別図柄入賞記憶に基づいて、変動表示装置８にて可変表示ゲームを行う。
【００４２】
普通図柄表示器７は、普通図柄始動ゲート２７Ａ、２７Ｂへ遊技球の入賞があると、普通図柄（例えば一つの数字からなる図柄）の変動表示を始める。普通図柄始動ゲート２７Ａ、２７Ｂへの入賞が所定のタイミングでなされたとき（具体的には、入賞検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９が所定の時間（例えば０．５秒）だけ大きく開き、遊技球の始動口１６への入賞可能性が高められる。
【００４３】
この普通図柄始動ゲートへの遊技球の通過は、普通図柄始動センサ５３Ａ、５３Ｂで検知される。この遊技球の通過タイミング（具体的には、遊技制御装置１００内に備えられた普通図柄乱数カウンタの通過検出時点での値）は、普通図柄入賞記憶として、遊技制御装置１００内の所定の記憶領域（普通図柄乱数記憶領域）に、所定回数（例えば、最大で連続した４回分）を限度に記憶される。この普通図柄入賞記憶の記憶数は、普通図柄表示器７の左右に設けられた４つのＬＥＤからなる普通図柄記憶状態表示器１９に表示される。遊技制御装置１００は、普通図柄入賞記憶に基づいて、普通図柄に関する当たりの抽選を行う。
【００４４】
前面枠３の下部の開閉パネル２０には球を打球発射装置に供給する上皿２１が、固定パネル２２には下皿２３及び打球発射装置の操作部２４等が配設される。
【００４５】
カバーガラス１８の上部の前面枠３には、点灯により球の排出の異常等の状態を報知する第１報知ランプ３１、第２報知ランプ３２が設けられている。
【００４６】
カード球貸ユニット用の操作パネル２６には、カードの残高を表示するカード残高表示部（図示省略）と、球貸しを指令する球貸しスイッチ２８と、カードの返却を指令するカード返却スイッチ３０等が設けられている。
【００４７】
カード球貸ユニット２には、前面のカード挿入部２５に挿入されたカード（プリペイドカード等）のデータの読込、書込等を行うカードリーダライタと球貸制御装置が内蔵され、カード球貸ユニット用の操作パネル２６は遊技機１の上皿２１の外面に形成される。
【００４８】
図２は遊技機１の裏側を示すもので、前面枠３の裏面には、遊技盤６を収納する収納フレーム５０が取り付けられ、収納フレーム５０の裏面に、各装置を配設する裏機構盤６１が取り付けられる。
【００４９】
裏機構盤６１の上部には、外部から電源を取り入れるターミナル基板４４、枠用外部端子４２Ａ、遊技球を貯留する球貯留タンク４６、球貯留タンク４６の球を樋ユニット部４７に導くシュート４８が取り付けられる。裏機構盤６１の右下には、樋ユニット部４７の球を遊技機１前面側の上皿２１、下皿（受皿）２３に払い出す排出装置（図示せず）を制御する排出制御装置４００が取り付けられ、また、裏機構盤６１の左側には、電源装置（電源基板）２５０が配設される。
【００５０】
裏機構盤６１の下部には、遊技を統括的に制御する遊技制御装置１００、排出制御装置４００等が配設され、遊技制御装置１００の奥方に一部を隠した位置には、発射装置５００を制御する発射制御装置５５０が配設される。
【００５１】
前面枠３の下部には、中央にオーバーフロー流路（上皿２１と下皿２３とを結ぶ流路）等の連絡樋ボックス６２が、左側に発射装置５００が、右側にスピーカ９５が取り付けられ、スピーカの収納カバーにカード球貸ユニット２と接続するための中継基板３２が取り付けられる。
【００５２】
遊技盤６の裏面側のほぼ中央には、変動表示装置８を制御する表示制御装置１５０が配設され、後述するように表示制御装置１５０は、外部から視認可能な基板ケース１６０内に絶縁性液体としての絶縁性オイル１８０を満たすとともに、この基板ケース１６０内に基板１５１を収容して絶縁性オイル１８０に浸したもので構成されている。なお、表示制御装置１５０や電源装置２５０は、保護カバー４０に覆われており、図中では保護カバー４０の一部を切り欠いた状態を示している。
【００５３】
図３は、表示制御装置１５０の正面図を示し、図４は表示制御装置１５０の分解図を示す。
【００５４】
表示制御装置１５０は、ＣＰＵ１５２を配置した制御基板１５１を、透明（または内部を視認可能な透明度を備える）な部材で構成された基板ケース１６０の内部に収容するとともに、この基板ケース１６０内に冷却媒体として絶縁性と透光性（所定の透明度）を備えたオイル１８０を満たしたもので、制御基板１５１の表裏は、基板ケース１６０の底部から所定の位置まで絶縁性オイル１８０に浸される。所定の透光性（透明度）を備えた基板ケース１６０と絶縁性オイル１８０を介して基板ケース１６０の外部から制御基板１５１を視認可能に構成される。なお、絶縁性オイル１８０は、発熱部の放熱を基板ケース１６０の表面へ伝達する熱伝導媒体としても機能する。
【００５５】
制御基板１５１は、ＣＰＵ１５２を基板の下部に配置しており、制御基板１５１の下端部が基板ケース１６０内周底部に設置された複数の台座１７２に支持される。制御基板１５１の左右側方の端部は、基板ケース１６０の内周側方に固設されたガイド１７１、１７１に案内されて所定の位置に収容される。
【００５６】
そして、制御基板１５１の上端部は基板ケース１６０上部に設けた蓋１６２を貫通して外部に突出しており、基板ケース１６０から突出した制御基板１５１の上部には他の制御装置や変動表示装置８と接続するためのコネクタ１５３が設けられる。
【００５７】
後述するように、制御基板１５１は蓋１６２に挟持されて基板ケース１６０内の絶縁性オイル１８０が漏れるのを防ぐように構成されており、このため、蓋１６２と当接する制御基板１５１の上部には、図４で示すように部品を配置しない部品非実装領域１５４を備えている。
【００５８】
なお、部品非実装領域１５４には、部品の配置を禁止するのに加え、スルーホールの配置禁止、シルク印刷の禁止などを行うことにより、平滑な面を形成して蓋１６２と密着して基板ケース１６０内の密閉性が高まるように構成されている。
【００５９】
次に、基板ケース１６０は、透光性の部材（例えば、透明なアクリルやガラスなど）で形成され、制御基板１５１上の部品を視認可能に構成される。なお、基板ケース１６０は全体を透光性の部材で形成する必要はなく、少なくとも制御基板１５１の部品実装面（ＣＰＵ１５２などを配置した面）が視認可能であればよく、また、基板ケース１６０の透明度は制御基板１５１上の部品を視認可能なものであればよく、半透明または半透明に着色された部材で構成してもよい。なお、透光性の部材は、光の透過率が十分にあり、かつ、基板の表面が明瞭に視認できる程度の透明度及び屈折率を備えるもので構成すればよい。
【００６０】
ここで、基板ケース１６０は、制御基板１５１の大部分を収容するとともに、絶縁性オイル１８０を充填するケース本体１６１と、内部を封止する蓋１６２を主体に構成される。
【００６１】
ケース本体１６１の上端には蓋１６２と結合可能な開口部１６３を備えており、ケース本体１６１の下端には底部が形成される。また、ケース本体１６１は外周側方に設けた複数のブラケット１６４を介して遊技機の裏面に結合される。なお、基板ケース１６０は制御基板１５１の部品実装面を遊技機の裏面で視認可能となる向きで、遊技機裏面に取り付けられる。
【００６２】
図３及び図５で示すように、制御基板１５１の上部には絶縁性オイル１８０を注入または補充するため、筒状部材で構成された注入部１９０が固設されている。
【００６３】
注入部１９０は、透光性の筒状部材で構成されて内部のオイルレベルを視認可能とし、上端を開口するとともに、この上端には脱着可能なキャップ１９１を備えており、キャップ１９１を取り外した状態で絶縁性オイル１８０の注入を行い、通常はキャップ１９１で封止しておく。なお、キャップ（絶縁性液体注入部）は、ワンウェイねじによる螺合、樹脂部材の溶着、接着などで再度開放を困難にする。あるいは、ペットボトルキャップのように開放の証拠が残るようにしてもよい。
【００６４】
図５は、注入部１９０を含む基板ケース１６０の断面を示し、注入部１９０の下部と中央部にはケース本体１６１と連通する貫通孔１９３、１９４が形成され、蓋１６２が閉じている状態で絶縁性オイル１８０を注入する場合には、下部の貫通孔１９３から絶縁性オイル１８０が注入され、液面の上昇による空気が貫通孔１９４から排出される。
【００６５】
また、遊技機裏面から視認可能な位置には、絶縁性オイル１８０の液面の基準値（基準液面）を示す目盛り１９２を設け、絶縁性オイル１８０の液面が目盛り１９２を超えるように管理する。また、目盛りは、注入部１９０だけでなく、ケース本体１６１の外周に設けてもよく、例えば、図３〜図５に示す目盛り１９２Ａのように、ケース本体１６１の全周にわたって設けてもよい。
【００６６】
ここで、基板ケース１６０内に充填される絶縁性オイル１８０は、合成油（例えば、シリコーン油、菜種エステル油、ポリ−α−オレフィン油など）、鉱油などで、所定の透明度を備えるものである。なお、所定の透明度は、ケース本体１６１の外部から制御基板１５１に実装されたＣＰＵ１５２やその他ＩＣの形状、実装状態、または識別情報（例えば、型式番号、チップＩＤ）などが視認可能であればよい。
【００６７】
また、絶縁性オイル１８０に要求される絶縁性は、制御基板１５１の回路や端子間で短絡が生じず、大気中にあるときと同様に動作可能な抵抗値があればよい。なお、ここでは、絶縁性液体として絶縁性オイル１８０を適用したが、オイルに限定されることはなく、絶縁性と所定の透明度を備えた液体であればよい。
【００６８】
また、基板ケース１６０に充填される絶縁性オイル１８０の容量は、オイル及びケース本体１６１の熱伝導率と制御基板１５１全体の発熱量（または消費電力）あるいは、発熱部品や不正工作の対象となりうる部品の実装位置に応じて設定すればよい。
【００６９】
次に、ケース本体１６１の内部を密封する蓋１６２の構造について、図６、図７を参照しながら説明する。
【００７０】
図６において、蓋１６２は、制御基板１５１の表裏を挟持するように蓋１６２Ａと蓋１６２Ｂに２分割されており、一方の蓋１６２Ｂには制御基板１５１の板厚と全幅（図６の水平方向）に応じた切り欠き部１６９がほぼ「コ」字状に形成され、さらに、制御基板１５１及び蓋１６２Ｂと対向する蓋１６２Ａの端面にはシール部材（オイルシール）２０１が取り付けられ、また、制御基板１５１と対向する蓋１６２Ｂの切り欠き部１６９には「コ」字状のシール部材２０２が取り付けられ、切り欠き部１６９に制御基板１５１を嵌合させてから蓋１６２Ａ、１６２Ｂで挟み込むことにより、外部に突出する制御基板１５１と蓋１６２の接合部から絶縁性オイル１８０が漏れるのを防ぐ。
【００７１】
つまり、基板ケース１６０を箱体と蓋体とから構成する場合では、箱体と蓋体との当接部分にシール部材（漏れ防止部材）を備え、内部の絶縁性オイル１８０の漏れを防止するのである。また、複数の蓋体を備える場合では、信号線あるいは制御基板を複数の蓋体で挟持するようにしてもよい。この場合、蓋体には信号線あるいは制御基板との当接部分にシール部材を備える。なお、箱体は、制御基板を収納したときの電子部品搭載面が透明（または所定の透明度）で構成する。
【００７２】
なお、図６、図７において、蓋１６２Ａ、１６２Ｂの両端（図中左右の端部）には、相互に対向する位置にフランジ部１６５、１６６が突設される。また、これらフランジ部１６５、１６６には同軸位置に孔部１６５Ａが貫通形成され、この孔部１６５Ａに挿通したボルト１４１を締結することで一対の蓋１６２Ａ、１６２Ｂは制御基板１５１を挟み込んで一体に結合し、ひとつの蓋１６２を形成する。
【００７３】
次に、蓋１６２とケース本体１６１との結合は、図６、図７で示すように、ケース本体１６１の開口部１６３の左右両端部からは水平方向にフランジ部１６８、１６８がそれぞれ突設され、蓋１６２Ａにもケース本体１６１のフランジ部１６８と対向する位置（蓋１６２Ａの両端）にフランジ部１６７、１６７が突設される。また、これらフランジ部１６７、１６８には同軸位置に孔部１６８Ａが形成され、この孔部１６８Ａに挿通したボルト１４２によって、制御基板１５１を挟み込んだ蓋１６２がケース本体１６１に結合される。なお、蓋１６２とケース本体１６１との間にはシール部材２０３が介装されて、ケース本体１６１と蓋１６２の接合部から絶縁性オイル１８０が漏れるのを防いで、ケース１６０内部に充填した絶縁性オイル１８０を封入する。
【００７４】
以上のような構成による作用について、以下に説明する。
【００７５】
まず、図５で示したように、制御基板１５１の表裏は絶縁性オイル１８０に浸されているので、ＣＰＵ１５２等の基板上の素子が発生する熱は、絶縁性オイル１８０に伝達される。そして、絶縁性オイル１８０に伝達された熱はケース本体１６１を介して大気中に放出される。したがって、遊技機裏面のように制御基板１５１の配置が必ずしも冷却に適した場所でない場合であっても、基板ケース１６０の全体で放熱を行うことにより、ヒートシンクなど素子の表面に放熱部材を設けることなくＣＰＵ１５２の冷却を確実に行うことが可能となり、高性能なＣＰＵ１５２を用いて多彩な演出を実現することができる。
【００７６】
また、制御基板１５１上のうち、発熱量の大きいもの（例えば、ＣＰＵ１５２）を制御基板１５１の下部に設けたため、図５の矢示のように、絶縁性オイル１８０はケース本体１６１の底部から上部へ向かった後に底部へ向かう対流を発生させることができ、放熱を均一に行うことが可能となって、冷却性能を向上させることができる。
【００７７】
また、制御基板１５１の表裏をそれぞれ絶縁性オイル１８０で冷却するようにしたので、単一の面のみを冷却する場合に比して冷却性能を向上することができ、また、制御基板１５１を台座１７２で支持してケース本体１６１の底部との間に間隙を設けたので、制御基板１５１の表裏の温度差が大きい場合には、絶縁性オイル１８０は制御基板１５１の表面と裏面との間で対流を生じ、冷却性能を向上させることが可能となるのである。
【００７８】
また、基板ケース１６０及び絶縁性オイル１８０が透光性（所定の透明度）を備えるようにしたため、遊技機裏面から基板１５１及び基板１５１上の素子を視認することができるので、万一、不正な基板にすり替えられても容易に発見することが可能となり、不正な行為を抑制することができ、不正の防止と冷却性能の確保を両立できるのである。
【００７９】
なお、前記キャップ１９１を脱着可能とするとともに、絶縁性オイル１８０の注入部１９０に目盛り１９２を設けて、基準値を容易に確認できるようにしてもよく、この場合、液面が低下した場合には速やかに絶縁性オイル１８０の補給を行って、冷却性能の維持を図ることができる。ただし、このように絶縁性オイル１８０の補充を想定する場合では、不正対策との両立を図るため、特殊な封止方法（特殊工具の使用など）とすることが望ましい。
【００８０】
さらに、不正な基板にすり替えられたり、不正な部品を取り付けられた場合、正当な基板と不正な基板の体積が異なるときには液面が変化するので、制御基板１５１に疑義が生じた場合には、液面を基準値と比較することでも不正の発見を補助することができる。
【００８１】
なお、不正な基板にすり替えられた場合、正当な基板は絶縁性オイル１８０が付着した状態で抜かれるので、遊技機裏面や床面などに絶縁性オイル１８０が垂れる可能性が極めて高く、液面の低下に加えて周囲に漏れたオイルの状態などから不正な基板のすり替えを容易に判定することができる。
【００８２】
なお、絶縁性オイル１８０に所定の臭いを付加しておくことで、不正にケース１６０の蓋１６２を開封したことを遊技店の店員などが容易に知ることができ、さらに不正な行為に対する抑止力となる。ただし、通常の状態では蓋１６２はケース本体１６１を密封しているので、外部に臭いが漏れることはない。
【００８３】
なお、絶縁性オイル１８０に付加する所定の臭いは、食品の臭いや花の香りなど通常の遊技機や遊技店では感じられないものが望ましく、万一、不正が行われても通常の遊技者に影響を与えることが無く、遊技店側での不正摘発が容易になる。
【００８４】
また、制御基板１５１と他の制御装置を接続するコネクタ１５３のみを基板ケース１６０から突出させたため、各制御装置の交換などを迅速に行うことができ、修理などの作業を従来と同様に行うことができる。
【００８５】
図８は、第２の実施形態を示し、前記第１実施形態の制御基板１５１の全体をケース１６０内に収容し、基板ケース１６０の蓋にコネクタを設けたもので、その他の構成は前記第１実施形態と同様である。
【００８６】
制御基板１５１’はその全体が基板ケース１６０内に収容されて、ほぼ全体が絶縁性オイル１８０に浸される。
【００８７】
そして、ケース本体１６１の蓋１６２’には、他の制御装置や電源装置２５０と接続するためのコネクタ１５３が配設され、コネクタ１５３と制御基板１５１はフラットケーブル１５５等で接続される。
【００８８】
このフラットケーブル１５５を制御基板１５１側で半田付けなどを施して結合しておくことにより、制御基板１５１’と蓋１６２’及びコネクタ１５３を一体にすることができる。これにより、制御基板１５１’に代わって不正な基板を装着しようとしても、蓋１６２’も交換する必要があるので、不正な基板交換作業を難しくすることができる。
【００８９】
また、図９で示すように、先端にコネクタ１５３を設けたフラットケーブル１５５を蓋１６２’から引き出してもよく、この場合では、フラットケーブル１５５と蓋１６２’をシール部材などを介して結合すればよい。
【００９０】
図１０は第３の実施形態を示し、前記第１実施形態の基板ケース１６０の正面のみを透光性の部材で形成し、その他の面を放熱部（例えば、熱伝導率のよい金属）で構成したものである。
【００９１】
基板ケース１６０’の正面（遊技機裏面から視認可能な面）１６０Ｆは、前記第１実施形態と同様に透光性の部材で構成する。
【００９２】
一方、側面２１０と底面２２０及び背面は熱伝導率のよい部材（例えば、金属製の部材）で形成して放熱部とする。さらに、側面２１０には冷却フィン２１１を設けて放熱性能を高める。
【００９３】
制御基板１５１の視認が必要なのは、遊技機１を開いて裏面を見たときに制御基板１５１の部品実装面（発熱素子であるＣＰＵ１５２を設けた側）が容易に視認可能であればよいので、この部品実装面と対向する正面１６０Ｆのみを透明なアクリルなどの透光性の部材、つまり所定の透明度を備える視認可能な部材で形成しておけばよい。
【００９４】
一方、その他の面については視認性が要求されない。したがって、これらの面は視認性を考慮せずに放熱性のよい部材（熱伝導率の高い金属等）で形成して放熱部とすることで、制御基板１５１からの発熱は絶縁性オイル１８０に伝達され、さらに絶縁性オイル１８０に伝達された熱は放熱部として形成されて側面２１０や底面２２０よりに伝達され、大気により冷却され、制御基板１５１からの発熱を効果的に排出し、ＣＰＵ１５２など発熱素子の冷却を確実に行うことで基板ケース１６０の冷却性能を向上させながら視認性を確保できる。さらに、これら金属で構成した面に冷却フィン２１１を設けることで、より一層冷却性能を高めることができ、特に、ＣＰＵ１５２に高性能なものを採用する場合、過熱による誤動作を防いで安定した動作環境を提供でき、視認性の確保と冷却性能の向上を両立させることができる。
【００９５】
なお、上記実施形態において、表示制御装置１５０に本発明を適用した場合を示したが、遊技機１に配設される制御基板であれば適用することができ、例えば、図２において、遊技制御装置１００や電源装置２５０、排出制御装置４００等に適用してもよい。
【００９６】
また、上記実施形態では、遊技機としてパチンコ機に適用した場合を示したが、図１１に示すように、可変表示装置８’を備えるパチスロ機１’の遊技制御装置１００’や電源装置２５０’等に適用することができ、上記と同様に不正防止と基板の冷却を両立させることができる。
【００９７】
また、上記実施形態では、遊技の制御を行う装置を遊技制御装置１００、表示制御装置１５０や排出制御装置４００等の複数の制御装置から構成した場合に適用する例を示したが、これら複数の制御装置を１枚の基板に集約した制御装置に適用してもよく、上記実施形態と同様の作用、効果を得ることができる。あるいは、一つの基板ケース１６０内に複数の制御基板を収容しても同様の作用効果を得ることができる。
【００９８】
また、基板ケース１６０は内部の絶縁性液体を密閉しており、このケースの所定の位置に基板ケース１６０の密閉状態が解かれたことを検出する開封検出手段を備えてもよく、開封検出手段を備えることで、ケースが開封されたことを容易に知ることができ、不正行為を発見する際の一助となる。なお、開封検出手段としては、基板ケース１６０の外周（例えば、開口部１６３の近傍）に、紙片などを配置することで、基板ケース１６０または蓋１６２が開封されて制御基板１５１の出し入れがあれば、周囲に絶縁性オイル１８０がこぼれて紙片に付着することから、開封の証拠を得ることができる。
【００９９】
また、開封検出手段としては、ケース１６０の内部に外部の大気と触れたことを検出する部材を配置してもよく、例えば、吸湿材としてのシリカゲルを蓋１６２の内部に配置しておけば、蓋１６２を開封している期間は、吸湿により変色（例えば、乾燥状態の青から吸湿能力が低下するピンク）するので、この吸湿材の色に基づいて開封を検出できる。なお、吸湿材を蓋１６２の組み付ける際には、低湿度の環境で行うことにより、経時劣化による変色を抑制でき、開封の検出精度を向上できる。
【０１００】
また、絶縁性液体に所定の着色を施してもよく、不正行為を行う際には、こぼれた絶縁性液体の補充が必要になるため不正行為を抑止することができ、また、併設された遊技機との比較により、絶縁性液体の色の差から異常の検出が可能となる。
【０１０１】
また、絶縁性オイル１８０は、搬送時のこぼれや泡立ちなどで液面の低下や制御基板１５１の視認性の低下を防ぐため、所定の粘度を備えるようにしてもよい。
【０１０２】
また、上記実施形態では、ケース本体１６１の上部に蓋１６２を設け、ケース本体１６１から上方に向けて絶縁性オイル１８０の注入部１９０を設け、その上端にキャップ１９１を取り付けたが、遊技機に基板ケース１６０を取り付けるときに、蓋１６２や注入部１９０が下方を向くように取り付けてもよく、この場合、不正工作が容易に行えなくなり、不正行為の抑止を図ることができる。
【０１０３】
また、上記実施形態では、基板ケース１６０を密閉構造としたが、輸送中は密閉状態として絶縁性オイル１８０の漏れを防止し、遊技機に取り付けた後は基板ケース１６０内部と外部を通気可能としてもよい。
【０１０４】
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】パチンコ機の正面図である。
【図２】パチンコ機の裏面図で、保護カバーの一部を透視した状態を示す。
【図３】表示制御装置の正面図である。
【図４】同じく、表示制御装置の分解図である。
【図５】図３のＡ−Ａ矢示断面図である。
【図６】分解した状態の蓋の平面図である。
【図７】分解した状態の蓋の正面である。
【図８】第２の実施形態を示す表示制御装置の正面図である。
【図９】表示制御装置の他の態様を示す正面図である。
【図１０】第３の実施形態を示し、表示制御装置の斜視図である。
【図１１】開放した状態のパチスロ機の正面図である。
【符号の説明】
８  変動表示装置
１００  遊技制御装置
１５０  表示制御装置（変動表示制御手段）
１５１  制御基板
１６０  基板ケース
１６１  ケース本体
１６２  蓋
１６３  開口部
１６４  ブラケット
１９２  目盛り
１７１  ガイドレール
１７２  台座
１８０  絶縁性オイル
１９０  注入部
１９２  目盛り（液面比較手段）
２５０  電源装置
【図１】
0003672875.tif 000002
【図２】
0003672875.tif 000003
【図３】
0003672875.tif 000004
【図４】
0003672875.tif 000005
【図５】
0003672875.tif 000006
【図６】
0003672875.tif 000007
【図７】
0003672875.tif 000008
【図８】
0003672875.tif 000009
【図９】
0003672875.tif 000010
【図１０】
0003672875.tif 000011
【図１１】
0003672875.tif 000012